(57)【特許請求の範囲】
【請求項１】
歯科治療用インスツルメントを吊下するためのインスツルメント吊下バーを有する歯科治療用インスツルメントホルダーと、前記インスツルメント吊下バーに着脱自在に吊下されるフック部材を有する歯科治療用インスツルメントとから成り、該歯科治療用インスツルメントは、前記フック部材にて、該インスツルメントの先端部を下方にして、前記インスツルメント吊下バーに吊下されることを特徴とする歯科治療用インスツルメント及びインスツルメントホルダー。
【請求項２】
前記歯科治療用インスツルメントホルダーは、該インスツルメントホルダーの下部前方に水平に横架されたインスツルメント吊下バーを有し、前記歯科治療用インスツルメントは、該インスツルメントが接続されたインスツルメントホースを前記インスツルメント吊下バーの上部を通した後、前記フック部材にて該インスツルメント吊下バーに吊下されることを特徴とする請求項１に記載の歯科治療用インスツルメント及びインスツルメントホルダー。
【請求項３】
歯科治療用ワークテーブルの下部前方に、該ワークテーブルから所定の間隔をもって横架された歯科用インスツルメント吊下バーと、該インスツルメント吊下バーに吊下するフック部材を有する歯科治療用インスツルメントから成り、該歯科治療用インスツルメントは、前記フック部材にて、該インスツルメントの先端部を下方にして、前記インスツルメント吊下バーに吊下されることを特徴とする歯科治療用インスツルメント及びインスツルメントホルダー。
【請求項４】
前記歯科治療用インスツルメント吊下バーは、軸方向に所定の間隔をもって仕切板が設けられており、該仕切板によって複数の歯科治療用インスツルメントを各々個別に仕切って吊下するよう構成されていることを特徴とする請求項１乃至３のいずれかに記載の歯科治療用インスツルメント及びインスツルメントホルダー。
【発明の詳細な説明】
【０００１】
【発明の属する技術分野】
本発明は、歯科治療用インスツルメント及びインスツルメントホルダー、より詳細には、フック部材を有する歯科治療用インスツルメントと、該歯科治療用インスツルメントを吊下する吊下バーを有する歯科治療用インスツルメントホルダーとから成り、歯科治療用インスツルメントを、刃物が装着される先端部を下方にして、前記フック部材にて、前記歯科治療用インスツルメントホルダーの前記吊下バーに吊下するようにしたものである。
【０００２】
【従来の技術】
図３は、従来の歯科治療用インスツルメント及びインスツルメントホルダーの一例を説明するための図で、図中、１はワークテーブル、２は歯科治療用インスツルメントホルダー、３1〜３5は歯科治療用インスツルメント、４1〜４5はインスツルメントホースで、非使用時、各インスツルメント３1〜３5は図示のようにインスツルメントホルダー２に載置されており、施術時、必要なインスツルメントが該インスツルメントホルダーから引き出されて使用される。
【０００３】
而して、上記従来のインスツルメントホルダーにおいては、インスツルメントの先端が該インスツルメントホルダーの先端２ａから突出して載置される場合があり、そのような場合、術者の手がインスツルメントの先端に当って負傷する等の問題があった。また、インスツルメントの先端がインスツルメントホルダー上に載置される場合は、載置部が汚れ不衛生であった。すなわち、インスツルメントの先端部は患者の口腔内に入れられて使用されるものであり、患者の唾液や血液等で汚れ、この汚れた先端部がホルダー上に載置されると、この汚れによってホルダーのインスツルメント先端部が汚れ、これにより、或る患者の病気が他の患者に伝染する等の恐れがあった。
【０００４】
【発明が解決しようとする課題】
本発明は、上述のごとき実情に鑑みてなされたもので、歯科治療用インスツルメントを、該インスツルメントの先端部を下方にして、歯科治療用インスツルメントホルダーに吊下するようにし、もって、術者の手がインスツルメント先端に当って負傷することのないようにするとともに、歯科治療用インスツルメントをインスツルメントホルダー上に載置しないようにすることによって、インスツルメントの先端部が汚れることのないようにすることを目的としてなされたものである。
【０００５】
【課題を解決するための手段】
請求項１の発明は、歯科治療用インスツルメントを吊下するためのインスツルメント吊下バーを有する歯科治療用インスツルメントホルダーと、前記インスツルメント吊下バーに着脱自在に吊下されるフック部材を有する歯科治療用インスツルメントとから成り、該歯科治療用インスツルメントは、前記フック部材にて、該インスツルメントの先端部を下方にして、前記インスツルメント吊下バーに吊下されることを特徴としたものである。
【０００６】
請求項２の発明は、請求項１の発明において、前記歯科治療用インスツルメントホルダーは、該インスツルメントホルダーの下部前方に水平に横架されたインスツルメント吊下バーを有し、前記歯科治療用インスツルメントは、該インスツルメントが接続されたインスツルメントホースを前記インスツルメント吊下バーの上部を通した後、前記フック部材にて該インスツルメント吊下バーに吊下されることを特徴としたものである。
【０００７】
請求項３の発明は、歯科治療用ワークテーブルの下部前方に、該ワークテーブルから所定の間隔をもって横架された歯科用インスツルメント吊下バーと、該インスツルメント吊下バーに吊下するフック部材を有する歯科治療用インスツルメントから成り、該歯科治療用インスツルメントは、前記フック部材にて、該インスツルメントの先端部を下方にして、前記インスツルメント吊下バーに吊下されることを特徴としたものである。
【０００８】
請求項４の発明は、請求項１乃至３のいずれかの発明において、前記歯科治療用インスツルメント吊下バーは、軸方向に所定の間隔をもって仕切板が設けられており、該仕切板によって複数の歯科治療用インスツルメントを各々個別に仕切って吊下するよう構成されていることを特徴としたものである。
【０００９】
【発明の実施の形態】
図１は、本発明による歯科治療用インスツルメント及び該歯科治療用インスツルメントを吊下するインスツルメントホルダーの一実施例を説明するための要部概略構成図、図２は、図１のII部拡大分解図で、図中、１はワークテーブル、１０はインスツルメントホルダー又はインスツルメントを吊下するインスツルメント吊下バー、３は歯科治療用インスツルメント、４は該インスツルメント３に電気、エアー、水等を供給するリード線、チューブ等が内装されているインスツルメントホースで、該インスツルメントホース４は、周知のように、先端Ａに前記インスツルメント３が着脱自在に接続され、他端Ｂはワークテーブル１に着脱自在に装着されるようになっている。５は本発明によって歯科治療用インスツルメント３に付加されたフック部材、１０は本発明による歯科治療用インスツルメントホルダー又はインスツルメント吊下バーで、図には、最もシンプルな例として、ワークテーブル１の下部前方において、両端が支持アーム１１、１１によって横架された単一の吊下バー１０が示されている。なお、支持アーム１１は、図２に示すように、２本用いて、吊下バー１０の両端を支えるようにしてもよいが、単一のアームで、例えば、吊下バー１０の中央部を支えるようにしてもよく、或いは、多数本を直列に配列して用いて、各支持アーム間に各歯科治療用インスツルメント３を配設するようにしてもよい。
【００１０】
また、図１には、単一の吊下バー１０をワークテーブルの下部前方に横架して取付けることによってインスツルメントホルダーを構成するようにした例を示したが、勿論、吊下バー１０を下部前方に有するインスツルメントホルダーをワークテーブルから独立して構成してもよいし、該ワークテーブルにインスツルメントホース５の引き出し、引き戻しを効果的に行うためのコントロール機構や、インスツルメントを取り出した時に、該取り出したインスツルメントに対する電源、エアー、水等を供給する機構等を作動させるようにしてもよいことは当然であり、同様に、図示の吊下バー１０にインスツルメントの脱着を検出するセンサを設けておき、該センサが作動した時（つまり、当該インスツルメントが使用されようとした時）に、当該インスツルメントに対する電源、エアー、水等を供給するようにし、治療作業が終って、該インスツルメントを元の位置に戻した時に、前記電源、エアー、水等の供給を遮断するようにしてもよい。
【００１１】
また、図示のように、ワークテーブルの下部前方に、該ワークテーブルから所定の間隔（少なくとも、インスツルメントホース４が挿通される間隔）をもって、単一のインスツルメント吊下バー１０を横架するようにした場合、該インスツルメント吊下バー１０に所定の間隔（少なくとも、インスツルメントホース５が挿通される間隔）をもって仕切板１２を設け、該単一のインスツルメント吊下バーに複数のインスツルメントを吊下するようにした場合に、隣接するインスツルメントホースが交差しないようにする等、種々の工夫が付加されることは容易に理解されよう。
【００１２】
【発明の効果】
以上の説明から明らかなように、本発明によると、歯科治療用インスツルメントを、該インスツルメントの先端部を下方にして、歯科治療用インスツルメントホルダーに吊下するようにしたので、術者の手がインスツルメント先端に当って負傷するようなことはなく、また、歯科治療用インスツルメントをインスツルメントホルダー上に載置しないので、インスツルメントの先端部が汚れるようなこともない。
【図面の簡単な説明】
【図１】  本発明による歯科治療用インスツルメント及びインスツルメントホルダーの一実施例を説明するための要部概略構成図である。
【図２】  本発明による歯科治療用インスツルメント（図２（Ａ））、及び、インスツルメントホルダー（図２（Ｂ））の要部拡大図である。
【図３】  従来の歯科治療用インスツルメント及びインスツルメントホルダーの一例を説明するための図である。
【符号の説明】
１…ワークテーブル、２…歯科治療用インスツルメントホルダー、３（３1〜３5）…歯科治療用インスツルメント、４（４1〜４5）…インスツルメントホース、５…フック部材、１０…インスツルメントホルダー又はインスツルメント吊下バー、１１…インスツルメント吊下バー支持アーム、１２…仕切板。
【図１】
0003652332.tif 000002
【図２】
0003652332.tif 000003
【図３】
0003652332.tif 000004